(57)【要約】【課題】光ファイバケーブル分岐構造体において、ケーブル分岐作業をより容易にすることである。【解決手段】  光ファイバケーブルのシースを除去した部分のスロット溝の溝内から取り出した第１光ファイバ心線と、光モジュール側第２光ファイバ心線と、を融着して形成される融着部を保持して分岐される分岐構造体８０は、ケーブルコアに取り付けられる分岐具本体３２と、保護蓋３４と、を備え、分岐具本体は、ケーブルコアを挿入して分岐具本体を取り付けるケーブルコア挿入溝と、表面側に略全長に亘って形成され、第１光ファイバ心線と光モジュール側第２光ファイバ心線とを案内する光ファイバガイド溝と、ケーブルコア挿入溝内から光ファイバガイド溝内へ第１光ファイバ心線を誘導する誘導スリットと、光ファイバガイド溝内に突出して形成され、融着部を収容する融着部収容室と、を有する分岐具３０を備える。【選択図】図１７
2010243837.tif 000002
【特許請求の範囲】
【請求項１】
光ファイバケーブルのシースを所定範囲にわたって除去し、前記シースを除去した部分のケーブルコアにケーブル方向に形成されたスロット溝の溝内から取り出した第１光ファイバ心線と、光モジュールに接続された光モジュール側第２光ファイバ心線と、を融着して形成される融着部を保持して分岐された光ファイバケーブル分岐構造体であって、
前記シースを除去した部分のケーブルコアに取り付けられ、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側に略全長に亘って形成され、前記第１光ファイバ心線と前記光モジュール側第２光ファイバ心線とを案内する光ファイバガイド溝と、前記表面側の一端に設けられ、前記ケーブルコア挿入溝の溝内から前記光ファイバガイド溝の溝内へ前記第１光ファイバ心線を誘導する誘導スリットと、前記光ファイバガイド溝における長手方向の中間に設けられ、前記光ファイバガイド溝内に突出して形成され、前記融着部を保持する一対の突出保持部を有し、前記融着部を収容する融着部収容室と、を有する光ファイバケーブル用分岐具を備えることを特徴とする光ファイバケーブル分岐構造体。
【請求項２】
請求項１に記載の光ファイバケーブル分岐構造体であって、
前記シースを除去した部分のケーブルコアに形成されたケーブル方向のスロット溝の溝内から取り出され、前記ケーブルコア挿入溝の溝内から前記光ファイバガイド溝へ前記誘導スリットで誘導される前記第１光ファイバ心線と、前記第１光ファイバ心線と融着され、前記光ファイバガイド溝で案内される前記光モジュール側第２光ファイバ心線と、を含み、前記融着部収容室に前記一対の突出保持部で保持されて収容され、前記第１光ファイバ心線と前記光モジュール側第２光ファイバ心線とが融着された融着部を有する分岐光ファイバ線と、
を備えることを特徴とする光ファイバケーブル分岐構造体。
【請求項３】
光ファイバケーブルを光ファイバケーブル用分岐具で分岐する光ファイバケーブルの分岐方法であって、
光ファイバケーブルのシースを剥がした後、剥がしたシースの所定範囲を除去し、前記シースを剥がした部分のケーブルコアにケーブル方向に形成されたスロット溝の溝内から第１光ファイバ心線を取り出す工程と、
前記第１光ファイバ心線と、光モジュールに接続された光モジュール側第２光ファイバ心線と、を融着する工程と、
前記光ファイバケーブル用分岐具は、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側に略全長に亘って形成され、前記第１光ファイバ心線と前記光モジュール側第２光ファイバ心線とを案内する光ファイバガイド溝と、前記表面側の一端に設けられ、前記ケーブルコア挿入溝の溝内から前記光ファイバガイド溝の溝内へ前記第１光ファイバ心線を誘導する誘導スリットと、前記光ファイバガイド溝における長手方向の中間に設けられ、前記光ファイバガイド溝内に突出して形成され、前記融着部を保持する一対の突出保持部を有し、前記融着部を収容する融着部収容室と、を有し、
前記シースを除去した部分のケーブルコアをケーブルコア挿入溝に挿入して分岐具本体を取り付け、前記第１光ファイバ心線を前記ケーブルコア挿入溝の溝内から前記表面側へ前記誘導スリットで誘導する工程と、
前記第１光ファイバ心線と前記光モジュール側第２光ファイバ心線との融着部を前記一対の突出保持部で保持して前記融着部収容室に収容する工程と、
前記剥がしたシースの所定範囲を除去した残部を、前記シースを剥がしたケーブルコアに被せる工程と、
前記分岐具本体の表面側に、前記保護蓋を取り付ける工程と、
を備えることを特徴とする光ファイバケーブル分岐方法。
【請求項４】
光ファイバケーブルのシースを所定範囲にわたって除去し、前記シースを除去した部分のケーブルコアにケーブル方向に形成されたスロット溝の溝内から取り出した第１光ファイバ心線と、光モジュールに接続された光モジュール側第２光ファイバ心線とを融着して形成された融着部を保持して分岐する光ファイバケーブル用分岐具であって、
表面側を凹状に形成した分岐具本体と、
前記分岐具本体に着脱可能に設けられ、前記分岐具本体の表面側を覆う保護蓋と、
を備え、
前記分岐具本体は、
背面側に設けられ、前記シースを除去した部分のケーブルコアを挿入して前記分岐具本体を取り付けるケーブルコア挿入溝と、
前記表面側に略全長に亘って形成され、前記第１光ファイバ心線と前記光モジュール側第２光ファイバ心線とを案内する光ファイバガイド溝と、
前記表面側の一端に設けられ、前記ケーブルコア挿入溝の溝内から前記光ファイバガイド溝の溝内へ前記第１光ファイバ心線を誘導する誘導スリットと、
前記光ファイバガイド溝における長手方向の中間に設けられ、前記光ファイバガイド溝内に突出して形成され、前記融着部を保持する一対の突出保持部を有し、前記融着部を収容する融着部収容室と、
を有していることを特徴とする光ファイバケーブル用分岐具。
【請求項５】
請求項４に記載の光ファイバケーブル用分岐具であって、
前記ケーブルコア挿入溝は、溝内に凸状に形成され、前記スロット溝に挿入されて前記分岐具本体を位置決めする位置決め凸部を有することを特徴とする光ファイバケーブル用分岐具。
【請求項６】
請求項４または５に記載の光ファイバケーブル用分岐具であって、
前記分岐具本体は、両端に設けられ、前記シースを除去した部分のケーブルコアに前記分岐具本体を固定する締結具を取り付ける締結具取り付け部を有することを特徴とする光ファイバケーブル用分岐具。
【発明の詳細な説明】
【技術分野】
【０００１】
本発明は、光ファイバケーブルの中間後分岐に用いられる光ファイバケーブル分岐構造体、光ファイバケーブル分岐方法及び光ファイバケーブル用分岐具に関し、特に、屋内に敷設される光ファイバケーブルの分岐に用いられる光ファイバケーブルの中間後分岐に用いられる光ファイバケーブル分岐構造体、光ファイバケーブル分岐方法及び光ファイバケーブル用分岐具に関する。
【背景技術】
【０００２】
光ファイバを用いた光伝送線路において、例えば、光ファイバネットワークの構築には、光ファイバケーブルを敷設した後、この光ファイバケーブルを途中から分岐させる中間後分岐の技術が用いられている（例えば、特許文献１から５参照）。
【先行技術文献】
【特許文献】
【０００３】
【特許文献１】特開平８−２２０３９０号公報
【特許文献２】特表２００８−５０１１５１号公報
【特許文献３】特表２００８−５０１１５２号公報
【特許文献４】特表２００８−５０１１５３号公報
【特許文献５】特表２００８−５０１１５４号公報
【発明の概要】
【発明が解決しようとする課題】
【０００４】
ところで、上述したような光ファイバケーブルの分岐方法では、光ファイバケーブル用分岐具のサイズが大きいことなどから、特に、多種多様な多数の光ファイバケーブルが密集して配設されている場合において光ファイバケーブルの分岐作業が容易ではなかった。
【０００５】
そこで本発明の目的は、光ファイバケーブルの分岐作業をより容易にして、中間分岐配線時の作業性を向上させる光ファイバケーブル分岐構造体、光ファイバケーブル分岐方法及び光ファイバケーブル用分岐具を提供することである。
【課題を解決するための手段】
【０００６】
本発明に係る光ファイバケーブル分岐構造体は、光ファイバケーブルのシースを所定範囲にわたって除去し、前記シースを除去した部分のケーブルコアにケーブル方向に形成されたスロット溝の溝内から取り出した第１光ファイバ心線と、光モジュールに接続された光モジュール側第２光ファイバ心線と、を融着して形成される融着部を保持して分岐された光ファイバケーブル分岐構造体であって、前記シースを除去した部分のケーブルコアに取り付けられ、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側に略全長に亘って形成され、前記第１光ファイバ心線と前記光モジュール側第２光ファイバ心線とを案内する光ファイバガイド溝と、前記表面側の一端に設けられ、前記ケーブルコア挿入溝の溝内から前記光ファイバガイド溝の溝内へ前記第１光ファイバ心線を誘導する誘導スリットと、前記光ファイバガイド溝における長手方向の中間に設けられ、前記光ファイバガイド溝内に突出して形成され、前記融着部を保持する一対の突出保持部を有し、前記融着部を収容する融着部収容室と、を有する光ファイバケーブル用分岐具を備えることを特徴とする。
【０００７】
本発明に係る光ファイバケーブル分岐構造体は、前記シースを除去した部分のケーブルコアに形成されたケーブル方向のスロット溝の溝内から取り出され、前記ケーブルコア挿入溝の溝内から前記光ファイバガイド溝へ前記誘導スリットで誘導される前記第１光ファイバ心線と、前記第１光ファイバ心線と融着され、前記光ファイバガイド溝で案内される前記光モジュール側第２光ファイバ心線と、を含み、前記融着部収容室に前記一対の突出保持部で保持されて収容され、前記第１光ファイバ心線と前記光モジュール側第２光ファイバ心線とが融着された融着部を有する分岐光ファイバ線と、を備えることが好ましい。
【０００８】
本発明に係る光ファイバケーブル分岐方法は、光ファイバケーブルを光ファイバケーブル用分岐具で分岐する光ファイバケーブルの分岐方法であって、光ファイバケーブルのシースを剥がした後、剥がしたシースの所定範囲を除去し、前記シースを剥がした部分のケーブルコアにケーブル方向に形成されたスロット溝の溝内から第１光ファイバ心線を取り出す工程と、前記第１光ファイバ心線と、光モジュールに接続された光モジュール側第２光ファイバ心線と、を融着する工程と、前記光ファイバケーブル用分岐具は、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側に略全長に亘って形成され、前記第１光ファイバ心線と前記光モジュール側第２光ファイバ心線とを案内する光ファイバガイド溝と、前記表面側の一端に設けられ、前記ケーブルコア挿入溝の溝内から前記光ファイバガイド溝の溝内へ前記第１光ファイバ心線を誘導する誘導スリットと、前記光ファイバガイド溝における長手方向の中間に設けられ、前記光ファイバガイド溝内に突出して形成され、前記融着部を保持する一対の突出保持部を有し、前記融着部を収容する融着部収容室と、を有し、前記シースを除去した部分のケーブルコアをケーブルコア挿入溝に挿入して分岐具本体を取り付け、前記第１光ファイバ心線を前記ケーブルコア挿入溝の溝内から前記表面側へ前記誘導スリットで誘導する工程と、前記第１光ファイバ心線と前記光モジュール側第２光ファイバ心線との融着部を前記一対の突出保持部で保持して前記融着部収容室に収容する工程と、前記剥がしたシースの所定範囲を除去した残部を、前記シースを剥がしたケーブルコアに被せる工程と、前記分岐具本体の表面側に、前記保護蓋を取り付ける工程と、を備えることを特徴とする。
【０００９】
本発明に係る光ファイバケーブル用分岐具は、光ファイバケーブルのシースを所定範囲にわたって除去し、前記シースを除去した部分のケーブルコアにケーブル方向に形成されたスロット溝の溝内から取り出した第１光ファイバ心線と、光モジュールに接続された光モジュール側第２光ファイバ心線とを融着して形成された融着部を保持して分岐する光ファイバケーブル用分岐具であって、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側に略全長に亘って形成され、前記第１光ファイバ心線と前記光モジュール側第２光ファイバ心線とを案内する光ファイバガイド溝と、前記表面側の一端に設けられ、前記ケーブルコア挿入溝の溝内から前記光ファイバガイド溝の溝内へ前記第１光ファイバ心線を誘導する誘導スリットと、前記光ファイバガイド溝における長手方向の中間に設けられ、前記光ファイバガイド溝内に突出して形成され、前記融着部を保持する一対の突出保持部を有し、前記融着部を収容する融着部収容室と、を有していることを特徴とする。
【００１０】
本発明に係る光ファイバケーブル用分岐具において、前記ケーブルコア挿入溝は、溝内に凸状に形成され、前記スロット溝に挿入されて前記分岐具本体を位置決めする位置決め凸部を有することが好ましい。
【００１１】
本発明に係る光ファイバケーブル用分岐具において、前記分岐具本体は、両端に設けられ、前記シースを除去した部分のケーブルコアに前記分岐具本体を固定する締結具を取り付ける締結具取り付け部を有することが好ましい。
【発明の効果】
【００１２】
上記構成における光ファイバケーブル分岐構造体、光ファイバケーブル分岐方法及び光ファイバケーブル用分岐具によれば、光ファイバケーブル用分岐具の構造がより簡略であるので、例えば、多種多様な多数の光ファイバケーブルが密集して配設されて空きスペースが小さくなっている場合でも中間後分岐作業がより容易になり作業性が向上する。
【図面の簡単な説明】
【００１３】
【図１】本発明の実施の形態において、光ファイバケーブルの概略構成を示す断面図である。
【図２】本発明の実施の形態において、光ファイバケーブルから光ファイバ集合心線を取り出す手順を示す図である。
【図３】本発明の実施の形態において、光ファイバケーブル用分岐具の構成を示す図である。
【図４】本発明の実施の形態において、分岐具本体の構成を示す平面図である。
【図５】本発明の実施の形態において、分岐具本体の構成を示す底面図である。
【図６】本発明の実施の形態において、分岐具本体の構成を示す側面図である。
【図７】本発明の実施の形態において、保護蓋の構成を示す平面図である。
【図８】本発明の実施の形態において、保護蓋の構成を示す底面図である。
【図９】本発明の実施の形態において、保護蓋の構成を示す側面図である。
【図１０】本発明の実施の形態において、光ファイバケーブルのシースを切断した状態を示す図である。
【図１１】本発明の実施の形態において、ケーブルコアを露出させた状態を示す図である。
【図１２】本発明の実施の形態において、第１光ファイバ心線を取り出した状態を示す図である。
【図１３】本発明の実施の形態において、先端が口出しされた光モジュール側第２光ファイバ心線を示す図である。
【図１４】本発明の実施の形態において、第１光ファイバ心線と光モジュール側第２光ファイバ心線とを融着した状態を示す図である。
【図１５】本発明の実施の形態において、シースを除去した部分のケーブルコアに分岐具本体を取り付けた状態を示す図である。
【図１６】本発明の実施の形態において、剥がした部分のシースの残部を、露出部分のケーブルコアに被せた状態を示す図である。
【図１７】本発明の実施の形態において、分岐具本体に保護蓋を被せた状態を示す図である。
【発明を実施するための形態】
【００１４】
以下に図面を用いて本発明の実施の形態について説明する。まず、光ファイバケーブル１０の構成について説明する。図１は、光ファイバケーブル１０の概略構成を示す断面図である。光ファイバケーブル１０は、ケーブルコア１２の外周にシース１４が形成された構成を有している。ケーブルコア１２は、スロット溝１６が形成されたスロット部材１８と、スロット溝１６に収容された複数の第１光ファイバ心線２０と、を備えている。スロット溝１６は、ケーブル長さ方向に沿って形成されている。第１光ファイバ心線２０には、複数の光ファイバ単心線を集合させた光ファイバテープ心線が好適であるが、これに限定されず、任意の単心または多心の光ファイバ心線、光ファイバ素線等を使用できる。また、ケーブルコア１２には、抗張力体２２が設けられている。
【００１５】
シース１４の外面には、ケーブル長さ方向に沿って一対の溝状のノッチ（弱化部分）１４ｃまたは薄肉部が、周方向に互いに離間して形成され、これらノッチ１４ｃによって、シース１４は周方向に第１部分１４ａと第２部分１４ｂとの２つの部分に区分されている。第１部分１４ａは、ノッチ１４ｃ間の距離が比較的小さい部分であり、第２部分１４ｂは、それ以外の部分であり、断面略Ｃ形になっている。
【００１６】
図２は、光ファイバケーブル１０から第１光ファイバ心線２０を取り出す手順を示す図である。図２（ａ）、図２（ｂ）に示すように、シース１４をカッタ２６で周方向に切断した後、この切断部分からノッチ１４ｃでシース１４を引裂くようにして第１部分１４ａを第２部分１４ｂから分離することによって、ケーブルコア１２を露出させる。
【００１７】
次いで、図２（ｃ）、図２（ｄ）に示すように、ケーブルコア１２のスロット溝１６の溝内に収容された複数の第１光ファイバ心線２０のうち一部を切断し、スロット溝１６から取り出すことができる。他の光ファイバ心線は、スロット溝１６内に残す。そして、剥がした部分の第２部分１４ｂを、再びケーブルコア１２に被せてスロット溝１６を覆うことによって、スロット溝１６内の光ファイバが外に出るのを防ぐことができる。
【００１８】
なお、光ファイバケーブル１０から取り出された第１光ファイバ心線２０は、第１光ファイバ心線としての機能を有し、後述するように、光分岐モジュール等の光モジュールに接続された光モジュール側第２光ファイバ心線と融着されて接続される。
【００１９】
次に、光ファイバケーブル用分岐具について説明する。
【００２０】
図３は、光ファイバケーブル用分岐具３０の構成を示す図である。光ファイバケーブル用分岐具３０は、表面側を凹状に形成した分岐具本体３２と、分岐具本体３２に着脱可能に設けられ、分岐具本体３２の表面側を覆う保護蓋３４と、を備えている。図４は、分岐具本体３２の構成を示す平面図であり、図５は、分岐具本体３２の構成を示す底面図であり、図６は、分岐具本体３２の構成を示す側面図である。図７は、保護蓋３４の構成を示す平面図であり、図８は、保護蓋３４の構成を示す底面図であり、図９は、保護蓋３４の構成を示す側面図である。
【００２１】
図５に示すように、分岐具本体３２は、背面側に設けられ、シース１４を除去した部分のケーブルコア１２を挿入して分岐具本体３２を取り付けるケーブルコア挿入溝３６と、表面側に略全長に亘って形成され、第１光ファイバ心線である光ファイバケーブル１０から取り出された第１光ファイバ心線２０と、第２光ファイバ心線である光モジュールに接続される光モジュール側第２光ファイバ心線とを案内する光ファイバガイド溝３８と、表面側の一端に設けられ、ケーブルコア挿入溝３６の溝内から光ファイバガイド溝３８の溝内へ第１光ファイバ心線２０を誘導する誘導スリット４０と、光ファイバガイド溝３８に誘導スリット４０と連通して設けられ、第１光ファイバ心線２０を収容する第１光ファイバ心線収容室４２と、光ファイバガイド溝３８に第１光ファイバ心線収容室４２と連通して長手方向の中間に設けられ、光ファイバガイド溝３８内に突出して形成され、第１光ファイバ心線２０と光モジュールに接続された光モジュール側第２光ファイバ心線とが融着されて形成された融着部を保持する一対の突出保持部４４、４５を有し、融着部を収容する融着部収容室４３と、光ファイバガイド溝３８に融着部収容室４３と連通して設けられ、光モジュール側第２光ファイバ心線を収容する第２光ファイバ心線収容室４６と、分岐具本体３２をケーブルコア１２に締結する締結具を取り付ける締結具取り付け部４８と、を有している。
【００２２】
ケーブルコア挿入溝３６は、分岐具本体３２の背面側に設けられ、シース１４を除去した部分のケーブルコア１２を溝内に挿入して分岐具本体３２を光ファイバケーブル１０に取り付ける機能を有している。ケーブルコア挿入溝３６は、分岐具本体３２を姿勢を安定させてケーブルコア１２に取り付けるため、長尺状に形成される。ケーブルコア挿入溝３６は、ケーブルコア１２を挿入して挟持可能な溝幅で形成される。
【００２３】
ケーブルコア挿入溝３６は、溝内に凸状に形成され、スロット溝１６に挿入されて分岐具本体３２を位置決めする位置決め凸部５０を有している。位置決め凸部５０は、ケーブルコア挿入溝３６の溝幅より小さく、スロット溝１６の溝内に挿入可能な幅で凸状に形成される。
【００２４】
位置決め凸部５０の両側には、スロット溝１６の縁部を互いに離れた状態に係合保持するスロット溝縁部保持溝を備えている。スロット溝縁部保持溝は、ケーブルコア１２に形成したスロット溝１６の対向したスロット溝縁部を互いに離れた状態に係合保持し、互いに離して対向させて設けられる。スロット溝縁部保持溝は、ケーブルコア挿入溝３６内にケーブル方向に沿って形成される。スロット溝縁部保持溝は、スロット溝縁部を挿入して挟持可能な溝幅で形成される。
【００２５】
光ファイバガイド溝３８は、分岐具本体３２の表面側に略全長に亘って形成され、第１光ファイバ心線２０と光モジュール側第２光ファイバ心線とを案内する機能を有している。光ファイバガイド溝３８は、第１光ファイバ心線２０と光モジュール側第２光ファイバ心線とを融着して形成された融着部を挿入可能な溝幅で形成される。光ファイバガイド溝３８の溝幅を、融着部の幅と略同じとすることにより、分岐具本体３２をよりコンパクトにすることができる。
【００２６】
誘導スリット４０は、分岐具本体３２の表面側の一端に設けられ、前記ケーブルコア挿入溝３６の溝内から光ファイバガイド溝３８の溝内へ第１光ファイバ心線２０を誘導する機能を有している。誘導スリット４０は、ケーブルコア挿入溝３６の溝内に第１光ファイバ心線２０を分岐具本体３２へ誘導する誘導口５４を有している。誘導スリット４０は、ケーブル方向に沿って所定長さと所定の傾斜でスロープ状に形成される。誘導スリット４０は、第１光ファイバ心線２０を挿入可能なスリット幅で形成される。
【００２７】
第１光ファイバ心線収容室４２は、光ファイバガイド溝３８に誘導スリット４０と連通して設けられ、第１光ファイバ心線２０を収容する機能を有している。
【００２８】
融着部収容室４３は、光ファイバガイド溝３８に第１光ファイバ心線収容室４２と連通して設けられ、融着部を収容する機能を有している。融着部収容室４３は、光ファイバガイド溝３８の長手方向の中間に光ファイバガイド溝３８内に突出して形成され、融着部６８を保持する一対の突出保持部４４、４５を有している。突出保持部４４、４５により融着部６８が保持されるので、融着部における長手方向の移動が規制される。一方の突出保持部４４は、第１光ファイバ心線収容室４２と融着部収容室４３との間に形成され、他方の突出保持部４５は、第２光ファイバ心線収容室４６と融着部収容室４３との間に形成される。
【００２９】
突出保持部４４、４５は、光ファイバガイド溝３８の溝方向に対して略直交方向に突出し、対向して形成された一対の保持突起を有している。各々の突出保持部４４、４５に設けられる一対の保持突起は、第１光ファイバ心線２０または光モジュール側第２光ファイバ心線が挿通可能な間隔を設けて形成される。
【００３０】
第２光ファイバ心線収容室４６は、光ファイバガイド溝３８に融着部収容室４３と連通して設けられ、光モジュール側第２光ファイバ心線を収容する機能を有している。
【００３１】
締結具取り付け部４８は、分岐具本体３２における長手方向の一端と他端とに突出して設けられ、分岐具本体３２をケーブルコア１２に固定する締結具を取り付ける機能を有している。締結具取り付け部４８は、例えば、裏面側が略円弧状に形成される。締結具取り付け部４８には、締結具が、例えばスライドして外れないように凸状の締結具外れ止め５６が設けられる。
【００３２】
嵌合突起５８は、分岐具本体３２の両側面に設けられ、保護蓋３４に設けられる嵌合開口６０に嵌め込まれて保護蓋３４を固定する機能を有している。嵌合突起５８は、例えば、分岐具本体３２における両側面の長手方向の一端と他端とに設けられる。
【００３３】
保護蓋３４は、コ字形状に形成され、分岐具本体３２に着脱可能に設けられる。保護蓋３４は、分岐具本体３２の表面側を覆い、融着された第一光ファイバ心線と第二光ファイバ心線とを保護する機能を有している。保護蓋３４の両側面には、分岐具本体３２の両側面に設けられる嵌合突起５８に嵌め込まれる嵌合開口６０を有している。嵌合開口６０は、例えば、保護蓋３４における両側面の長手方向の一端と他端とに設けられる。
【００３４】
分岐具本体３２と保護蓋３４とは、例えば、合成樹脂を用いて金型成形される。合成樹脂には、例えば、ポリカーボネート（ＰＣ）樹脂、アクリロニトリルーブタジエンースチレン（ＡＢＳ）共重合樹脂、ＰＣ樹脂とＡＢＳ樹脂とをブレンドした合成樹脂等が用いられる。
【００３５】
次に、光ファイバケーブル１０の分岐方法について説明する。光ファイバケーブル１０の分岐方法は、例えば、屋内に敷設された光ファイバケーブル１０の分岐作業に用いられる。
【００３６】
まず、光ファイバケーブル１０におけるシース１４の所定部分が切断される。図１０は、光ファイバケーブル１０のシース１４を切断した状態を示す図である。光ファイバケーブル１０のシース１４は、カッタ２６等で切断される。シース１４切断後の光ファイバケーブル１０には、切断部１４ｄが形成される。
【００３７】
次に、所定部位のシース１４を剥離して剥がし、剥がしたシース１４の所定範囲をカットして除去し、ケーブルコア１２を露出させる。図１１は、ケーブルコア１２を露出させた状態を示す図である。シース１４の切断部１４ｄから所定長さの部分のシース１４にケーブル長さ方向の切れ目を入れ、この部分のシース１４を剥離させてケーブルコア１２を露出させる。例えば、図１及び図２に示すように、第１部分１４ａをノッチ１４ｃに沿って第２部分１４ｂから分離することによって、シース１４をケーブルコア１２から剥離させ、ケーブルコア１２を露出させることができる。例えば、シース１４のピール長は、５００ｍｍであり、シース１４のカット長は、１６０ｍｍである。剥がした部分のシース１４は、作業の邪魔にならないように、作業に関与しない部分のシース１４などに仮止めしておくことが好ましい。
【００３８】
ケーブルコア１２から１つの第１光ファイバ心線２０を取り出す。図１２は、第１光ファイバ心線２０を取り出した状態を示す図である。図１２に示すように、ケーブルコア１２のスロット溝１６の溝内に収容された複数の光ファイバ心線のうち一部を切断し、スロット溝１６から１本の第１光ファイバ心線２０を取り出す。例えば、第１光ファイバ心線２０は、シース１４から８５ｍｍでカットされる。
【００３９】
次に、光モジュール６２に接続された光モジュール側第２光ファイバ心線６４の先端を口出しする。図１３は、先端が口出しされた光モジュール側第２光ファイバ心線６４を示す図である。光モジュール６２に接続された光モジュール側第２光ファイバ心線６４における先端部６６の所定長さを口出しする。例えば、光モジュール側第２光ファイバ心線６４の口出しは、１００ｍｍである。
【００４０】
次に、第１光ファイバ心線２０と光モジュール側第２光ファイバ心線６４とを融着する。図１４は、第１光ファイバ心線２０と光モジュール側第２光ファイバ心線６４とを融着した状態を示す図である。第１光ファイバ心線２０と光モジュール側第２光ファイバ心線６４とは、融着機で融着されて接続される。第１光ファイバ心線２０と光モジュール側第２光ファイバ心線６４とには、融着部６８が形成される。融着部６８は、補強スリーブ等で補強されることが好ましい。第１光ファイバ心線２０と第２光ファイバ心線６４との融着には、一般的に光ファイバの融着で用いられる融着機を使用することができる。
【００４１】
次に、シース１４を除去した部分のケーブルコア１２をケーブルコア挿入溝３６に挿入して分岐具本体３２を取り付ける。図１５は、シース１４を除去した部分のケーブルコア１２に分岐具本体３２を取り付けた状態を示す図である。分岐具本体３２は、その背面側をケーブルコア１２に向けて取り付けられる。位置決め凸部５０をスロット溝１６に挿入し、ケーブルコア挿入溝３６にケーブルコア１２を挿入する。それにより、分岐具本体３２は、ケーブルコア１２の軸方向と略一致するように位置決めされて光ファイバケーブル１０に配置される。また、位置決め凸部５０をスロット溝１６に挿入することにより、分岐具本体３２の姿勢を安定させることができる。
【００４２】
分岐具本体３２は、締結具７０でケーブルコア１２に締結されて固定される。締結具７０には、例えば、係止穴を有する係止部がバンドの一端に設けられ、バンド７０を係止穴に通して任意の位置で係止可能な構造（例えば、いわゆるインシュロックタイ）などの結束具が採用できる。バンドが、分岐具本体３２の締結具取り付け部４８と、ケーブルコア１２と、に一括して巻き付けられ、分岐具本体３２がケーブルコア１２に締め付け固定された状態でバンドが係止部により係止されている。この際、バンドを、締結具取り付け部４８に設けられた締結具外れ止め５６の内側に巻き付けることにより、バンドの鉛直方向における上下方向の移動を規制し、分岐具本体３２の脱落をより確実に防止できる。
【００４３】
なお、締結具７０としては、分岐具本体３２をケーブルコア１２に締結することができるものであれば特に限定されることはなく、分岐具本体３２に、ケーブルコア１２を保持する機能を与えることもできる。例えば、保持片、係止爪、クリップ部などによりケーブルコア１２に係止可能とすることができる。
【００４４】
第１光ファイバ心線２０は、ケーブルコア挿入溝３６の溝内から表面側の光ファイバガイド溝３８の溝内へ誘導スリット４０で誘導されて第１光ファイバ心線収容室４２へ収容される。融着部６８は、突出保持部４４、４５で保持されて融着部収容室４３へ収容される。光モジュール側第２光ファイバ心線６４は、第２光ファイバ心線収容室４６へ収容される。
【００４５】
次に、第１光ファイバ心線２０の余長部を光ファイバケーブル１０内に収納し、上述の剥がした部分のシース１４の残部を、露出部分のケーブルコア１２に被せる。図１６は、剥がした部分のシース１４の残部を、露出部分のケーブルコア１２に被せた状態を示す図である。この際、シース１４の先端から所定長さの所定範囲は切除されて除去されているので、シース１４が光ファイバケーブル用分岐具３０と接触しないようにすることができる。ケーブルコア１２に被せたシース１４は、テープ状固定具などによりケーブルコア１２に固定することができる。このように、光ファイバケーブル用分岐具３０は、シース１４の一部除去により露出された部分のケーブルコア１２に取り付けられる。
【００４６】
次に、分岐具本体３２に保護蓋３４を被せる。図１７は、分岐具本体３２に保護蓋３４を被せた状態を示す図である。分岐具本体３２の両側面に設けられた嵌合突起５８と、保護蓋３４の両側面に設けられた嵌合開口６０と、を嵌め合せることにより、保護蓋３４が分岐具本体３２に取り付けられて固定される。これにより分岐具本体３２の内側に位置している第１光ファイバ心線２０と、融着部６８と、光モジュール側第２光ファイバ心線６４が保護される。以上により光ファイバケーブル１０の分岐作業が完了し、分岐光ファイバ線７６が形成され、光ファイバケーブル分岐構造体８０が形成される。また、分岐光ファイバ線７６が接続された光モジュール６２は、例えば、壁や床等に自在に取り付けられる。そして、インドアケーブル７２等が、例えば、外皮把持コネクタ７４で光モジュール６２に接続される。
【００４７】
なお、光ファイバケーブル用分岐具３０の増設により分岐数を増やすこともできる。ケーブルの長さ方向に複数の上記構成における光ファイバケーブル用分岐具３０を設けることにより同様の手順で光ファイバケーブルを分岐することができる。このように、ケーブルコアに１２、長さ方向に位置を違えて複数の光ファイバケーブル用分岐具３０を取り付けることにより、利用者数に応じた分岐数の増加に対してもより容易に対応することができる。また、光モジュール側第２光ファイバ心線６４には、光分岐モジュール等の光モジュールに接続される光ファイバ心線だけでなく、フロアーケーブルを適用してもよい。
【００４８】
上記構成によれば、光ファイバケーブル用分岐具の構造が簡略であり、分岐具のサイズをより小さくできるので、ケーブルシャフトの幅をより狭くでき省スペース化が可能である。そのため、多種多様な多数の光ファイバケーブルが密集して配設されて空きスペースが小さくなっている場合でも中間後分岐作業の作業性が向上する。また、分岐作業後の状態がコンパクトであり、他のケーブルの後増設にも支障が無い。
【００４９】
上記構成によれば、光ファイバケーブルから取り出された光ファイバ心線を、光モジュールに接続された光モジュール側第２光ファイバ心線と融着接続しているので、光モジュールの設置場所を自在に設定することができる。
【００５０】
上記構成によれば、中間後分岐作業のために剥いだシースの大部分を再利用しているので、中間後分岐作業の作業コストを抑えることができる。また、光ファイバケーブルから取り出された光ファイバ心線の余長部分は、光ケーブルケーブル内に収容できるので作業性や保守性がより向上する。
【符号の説明】
【００５１】
１０  光ファイバケーブル
１２  ケーブルコア
１４  シース
１６  スロット溝
１８  スロット部材
２０  第１光ファイバ心線
２２  抗張力体
２６  カッタ
３０  光ファイバケーブル用分岐具
３２  分岐具本体
３４  保護蓋
３６  ケーブルコア挿入溝
３８  光ファイバガイド溝
４０  誘導スリット
４２  第１光ファイバ心線収容室
４３  融着部収容室
４４、４５  突出保持部
４６  第２光ファイバ心線収容室
４８  締結具取り付け部
５０  位置決め凸部
５４  誘導口
５６  締結具外れ止め
５８  嵌合突起
６０  嵌合開口
６２  光モジュール
６４  光モジュール側第２光ファイバ心線
６６  口出し部
６８  融着部
７０  締結具
７２  インドアケーブル
７４  外皮把持コネクタ
７６  分岐光ファイバ線
８０  光ファイバケーブル分岐構造体
【図１】
2010243837.tif 000003
【図２】
2010243837.tif 000004
【図３】
2010243837.tif 000005
【図４】
2010243837.tif 000006
【図５】
2010243837.tif 000007
【図６】
2010243837.tif 000008
【図７】
2010243837.tif 000009
【図８】
2010243837.tif 000010
【図９】
2010243837.tif 000011
【図１０】
2010243837.tif 000012
【図１１】
2010243837.tif 000013
【図１２】
2010243837.tif 000014
【図１３】
2010243837.tif 000015
【図１４】
2010243837.tif 000016
【図１５】
2010243837.tif 000017
【図１６】
2010243837.tif 000018
【図１７】
2010243837.tif 000019